(57)【要約】【課題】小型・軽量・低コストなインダクションモータ駆動用インバータ制御装置を提供する。【解決手段】インバータ制御装置は、モータ各相の電圧指令値と入力電圧補正係数とを乗算することにより各相電圧指令値の補正を行う第１のモータ電圧指令補正部１７と、第１のモータ電圧指令補正部で補正された各相電圧指令値のいずれかがインバータ３の入力電圧値より大きい場合のみ、補正された各相電圧指令値にインバータの入力電圧値を乗算した後、補正された各相電圧指令値のうちの最大値で除算することにより第１のモータ電圧指令補正手段で補正された各相電圧指令値を再補正する第２のモータ電圧指令補正部１９とを備える。【選択図】図１
2010051143.tif 000002
【特許請求の範囲】
【請求項１】
交流電源からの交流電力を所望の周波数、所望の電圧を持つ交流電力に変換しモータに供給する双方向スイッチを含むインバータ制御装置であって、交流入力側に接続される所定の小容量のリアクタと、交流入力線間に設けられて、前記モータの回生エネルギを吸収するコンデンサとを備えたモータ駆動用のインバータ制御装置において、
モータの速度指令値に基づき、前記モータの各相電圧指令値を作成するモータ電圧指令作成部と、
前記インバータの入力電圧値を検出し、入力電圧検出値として出力する入力電圧検出部と、
前記入力電圧検出部により検出されたインバータの入力電圧検出値を所定の基準値と比較し、その比較結果から入力電圧補正係数を導出する入力電圧補正部と、
前記モータ電圧指令作成部から得られる各相電圧指令値と、前記入力電圧補正部の出力値である入力電圧補正係数とを乗算することにより各相電圧指令値の補正を行う第１のモータ電圧指令補正部と、
前記入力電圧検出値に１以上の値を乗算した飽和電圧基準値を導出する飽和電圧演算手段と、
前記第１のモータ電圧指令補正手段で補正された各相電圧指令値のいずれかが前記飽和電圧演算手段で演算された飽和電圧基準値より大きい場合のみ、前記第１のモータ電圧指令補正部で補正された各相電圧指令値に前記飽和電圧演算手段で演算された飽和電圧基準値を乗算し、その乗算結果を、前記第１のモータ電圧指令補正部で補正された各相電圧指令値のうちの最大値で除算することにより前記第１のモータ電圧指令補正部で補正された各相電圧指令値を再補正する第２のモータ電圧指令補正部とを備えたことを特徴とするモータ駆動用インバータ制御装置。
【請求項２】
前記第２のモータ電圧指令補正部で補正された各相電圧指令値が前記入力電圧検出値より大きい場合、各相電圧指令値を前記入力電圧検出値とするモータ電圧指令最大値規制部を更に備えたことを特徴とする請求項１記載のモータ駆動用インバータ制御装置。
【請求項３】
前記飽和電圧演算手段で得られる飽和電圧基準値は、モータの速度指令値に応じて可変とすることを特徴とする、請求項１または２に記載のモータ駆動用インバータ制御装置。
【請求項４】
前記入力電圧補正部は、前記所定の基準値を前記入力電圧検出値と所定値との和で除算することにより前記入力電圧補正係数を導出することを特徴とする、請求項１〜３のいずれか１項に記載のモータ駆動用インバータ制御装置。
【請求項５】
前記入力電圧補正部は、前記入力電圧検出値がゼロより大きい場合には、前記所定の基準値を前記入力電圧検出値で除算することにより前記入力電圧補正係数を導出し、前記入力電圧検出値がゼロ以下の場合には、予め設定された入力電圧補正係数の最大値を前記入力電圧補正係数に設定することを特徴とする、請求項１〜３のいずれか１項に記載のモータ駆動用インバータ制御装置。
【請求項６】
交流電源周波数の偶数倍の周波数を持つ共振周波数を中心としてその前後に所定の周波数幅を持たせた周波数範囲内にインバータ運転周波数が定常的に固定されるのを回避するように、前記インバータ運転周波数を設定することを特徴とする、請求項１〜３のいずれか１項に記載のモータ駆動用インバータ制御装置。
【請求項７】
前記リアクタと前記コンデンサとの共振周波数を交流電源周波数の４０倍よりも大きくなるように前記リアクタおよび前記コンデンサの組み合わせを決定することを特徴とする、請求項１〜３のいずれか１項に記載のモータ駆動用インバータ制御装置。
【請求項８】
前記インバータが停止した際に上昇する前記入力電圧検出値の最大値が、前記インバータの周辺回路に含まれる電気素子の耐圧よりも小さくなるように前記コンデンサの容量が決定されることを特徴とする、請求項１〜３のいずれか１項に記載のモータ駆動用インバータ制御装置。
【請求項９】
予め設定された交流電源力率値を満足するように前記インバータのキャリア周波数が決定されることを特徴とする、請求項１〜３のいずれか１項に記載のモータ駆動用インバータ制御装置。
【請求項１０】
冷媒を圧縮する圧縮機と、
前記圧縮機を駆動するためのモータと、
交流電源からの交流電力を可変電圧、可変周波数の交流電力に変換して前記モータに供給する請求項１〜９のいずれか１項に記載のモータ駆動用インバータ制御装置と、
を備えたことを特徴とする空気調和機。
【発明の詳細な説明】
【技術分野】
【０００１】
本発明は、モータ駆動用インバータ制御装置及び空気調和機に関する。
【背景技術】
【０００２】
汎用インバータなどで用いられている一般的なインダクションモータ駆動用インバータ制御装置として、図１６に示すようなＶ／Ｆ制御方式のインダクションモータ駆動用インバータ制御装置がよく知られている（例えば、非特許文献１参照）。
【０００３】
図１６において、主回路は直流電源装置１１３と、インバータ３とインダクションモータ４とから構成されており、直流電源装置１１３については、交流電源１と、整流回路２と、インバータ３の直流電圧源のために電気エネルギを蓄積する平滑コンデンサ１１２と、交流電源１の力率改善用リアクタ１１１から構成されている。
【０００４】
一方、制御回路では、外部から与えられたインダクションモータ４の速度指令に基づいてインダクションモータ４に印加するモータ電圧値を決定するＶ／Ｆ制御パターン部１３と、Ｖ／Ｆ制御パターン部１３から決定されるモータ電圧値に基づいてインダクションモータ４の各相電圧指令値を作成するモータ電圧作成部１４と、モータ電圧作成部１４から作成された各相電圧指令値に基づいてインバータ３のＰＷＭ信号を生成するＰＷＭ制御部１８から構成されている。なお、一般的なＶ／Ｆ制御パターン部１３の一例を図１７に示す。
【０００５】
図１７に示すように速度指令ω＊に対してインダクションモータ４に印加するモータ電圧値が一義的に決定するような構成となっている。一般的には、速度指令ω＊とモータ電圧値の値をテーブル値としてマイコン等の演算装置のメモリに記憶させ、テーブル値以外の速度指令ω＊に対してはテーブル値から線形補間することでモータ電圧値を導出している。
【０００６】
ここで、交流電源１が２２０Ｖ（交流電源周波数５０Ｈｚ）、インバータ３の入力が１．５ｋＷ、平滑コンデンサ１１２が１５００μＦのとき、力率改善用リアクタ１１１が５ｍＨおよび２０ｍＨの場合における交流電源電流の高調波成分と交流電源周波数に対する次数との関係を図１８に示す。図１８はＩＥＣ（国際電気標準会議）規格と併せて示したもので、力率改善用リアクタ１１１が５ｍＨの場合には特に第３高調波成分がＩＥＣ規格のそれを大きく上回っているが、２０ｍＨの場合には４０次までの高調波成分においてＩＥＣ規格をクリアしていることがわかる。
【０００７】
そのため特に高負荷時においてもＩＥＣ規格をクリアするためには力率改善用リアクタ１１１のインダクタンス値をさらに大きくするなどの対策を取る必要があり、インバータ装置の大型化や重量増加、さらにはコストＵＰを招くという不都合があった。
【０００８】
そこで、力率改善用リアクタ１１１のインダクタンス値の増加を抑え、電源高調波成分の低減と高力率化を達成する直流電源装置として、例えば図１９に示すような直流電源装置が提案されている（例えば、特許文献１参照）。
【０００９】
図１９において、交流電源１の交流電源電圧を、ダイオードＤ１〜Ｄ４をブリッジ接続してなる全波整流回路の交流入力端子に印加し、その出力を、リアクトルＬｉｎを介して中間コンデンサＣに充電し、この中間コンデンサＣの電荷を平滑コンデンサＣＤに放電して、負荷抵抗ＲＬに直流電圧を供給する。この場合、リアクトルＬｉｎの負荷側と中間コ
ンデンサＣを接続する正負の直流電流経路にトランジスタＱ１を接続し、このトランジスタＱ１をベース駆動回路Ｇ１で駆動する構成となっている。
【００１０】
また、ベース駆動回路Ｇ１にパルス電圧を印加するパルス発生回路Ｉ１、Ｉ２と、ダミー抵抗Ｒｄｍとをさらに備えており、パルス発生回路Ｉ１、Ｉ２は、それぞれ交流電源電圧のゼロクロス点を検出する回路と、ゼロクロス点の検出から交流電源電圧の瞬時値が中間コンデンサＣの両端電圧と等しくなるまでダミー抵抗Ｒｄｍにパルス電流を流すパルス電流回路とで構成されている。
【００１１】
ここで、パルス発生回路Ｉ１は交流電源電圧の半サイクルの前半にてパルス電圧を発生させ、パルス発生Ｉ２は交流電源電圧の半サイクルの後半にてパルス電圧を発生させるようになっている。
【００１２】
なお、トランジスタＱ１をオン状態にしてリアクトルＬｉｎに強制的に電流を流す場合、中間コンデンサＣの電荷がトランジスタＱ１を通して放電することのないように逆流防止用ダイオードＤ５が接続され、さらに、中間コンデンサＣの電荷を平滑コンデンサＣＤに放電する経路に、逆流防止用ダイオードＤ６と、平滑効果を高めるリアクトルＬｄｃが直列に接続されている。
【００１３】
上記の構成によって、交流電源電圧の瞬時値が中間コンデンサＣの両端電圧を超えない位相区間の一部または全部においてトランジスタＱ１をオン状態にすることによって、装置の大型化を抑えたままで、高調波成分の低減と高力率化を達成することができる。
【非特許文献１】「インバータドライブハンドブック」の６６１〜７１１頁を参照（インバータドライブハンドブック編集委員会編、１９９５年初版、日刊工業新聞社発行）
【特許文献１】特開平９−２６６６７４号公報
【発明の開示】
【発明が解決しようとする課題】
【００１４】
しかしながら、上記従来の構成では、容量の大きな平滑用コンデンサＣＤとリアクトルＬｉｎ（特許文献１では１５００μＦ、６．２ｍＨ時のシミュレーション結果について記載されている）とを依然として有したままであり、さらに中間コンデンサＣとトランジスタＱ１とベース駆動回路Ｇ１とパルス発生回路Ｉ１、Ｉ２とダミー抵抗Ｒｄｍと逆流防止用ダイオードＤ５、Ｄ６と平滑効果を高めるリアクトルＬｄｃとを具備することで、装置の大型化や部品点数の増加に伴うコストＵＰを招くという課題を有していた。
【００１５】
本発明はこのような従来の課題を解決するものであり、小型・軽量・低コストなモータ駆動用インバータ制御装置を提供することを目的とする。
【課題を解決するための手段】
【００１６】
本発明に係るモータ駆動用インバータ制御装置は、交流電源からの交流電力を所望の周波数、所望の電圧を持つ交流電力に変換しモータに供給する双方向スイッチを含むインバータ制御装置であって、交流入力側に接続される所定の小容量のリアクタと、交流入力線間に設けられ、前記モータの回生エネルギを吸収するコンデンサとを備えたモータ駆動用のインバータ制御装置において、モータの速度指令値に基づき、前記モータの各相電圧指令値を作成するモータ電圧指令作成部と、前記インバータの入力電圧値を検出し、入力電圧検出値として出力する入力電圧検出部と、前記入力電圧検出部により検出されたインバータの入力電圧検出値を所定の基準値と比較し、その比較結果から入力電圧補正係数を導出する入力電圧補正部と、前記モータ電圧指令作成部から得られる各相電圧指令値と、前記入力電圧補正部の出力値である入力電圧補正係数とを乗算することにより各相電圧指令値の補正を行う第１のモータ電圧指令補正部と、前記入力電圧検出値に１以上の値を乗算
した飽和電圧基準値を導出する飽和電圧演算手段と、前記第１のモータ電圧指令補正手段で補正された各相電圧指令値のいずれかが前記飽和電圧演算手段で演算された飽和電圧基準値より大きい場合のみ、前記第１のモータ電圧指令補正部で補正された各相電圧指令値に前記飽和電圧演算手段で演算された飽和電圧基準値を乗算し、その乗算結果を、前記第１のモータ電圧指令補正部で補正された各相電圧指令値のうちの最大値で除算することにより前記第１のモータ電圧指令補正部で補正された各相電圧指令値を再補正する第２のモータ電圧指令補正部とを備える。
【００１７】
上記の構成によって、小容量コンデンサと小容量リアクタが使用でき、さらに、双方向スイッチを用いることで整流回路が不要となるため、小型・軽量・低コストなモータ駆動用インバータ制御装置を実現できる。
【００１８】
また、インバータ入力電圧が大幅に変動してモータの駆動が困難あるいは不可能となる場合でも、モータに印加する電圧がほぼ一定となるようにインバータを動作させ、モータの駆動を維持することが可能であり、さらに交流電源電流の変動を抑制し、交流電源力率の改善と交流電源電流の高調波成分を抑制することが可能となる。さらにモータの出力トルクの向上を図ることが可能となる。
【発明の効果】
【００１９】
本発明によれば、各相電圧指令値を好適に補正することにより小容量コンデンサおよび小容量リアクタの使用が可能となる。また、インバータに双方向スイッチを用いることで整流回路が不要となり、これらによって、小型・軽量・低コストなモータ駆動用インバータ制御装置を実現でき、インバータ入力電圧が大幅に変動してモータの駆動が困難あるいは不可能となる場合でも、モータに印加する電圧がほぼ一定となるようにインバータを動作させ、モータの駆動を維持することが可能となる。さらに交流電源電流の変動を抑制し、交流電源力率の改善と交流電源電流の高調波成分を抑制できる。
【発明を実施するための最良の形態】
【００２０】
第１の発明に係るモータ駆動用インバータ制御装置は、交流電源からの交流電力を所望の周波数、所望の電圧を持つ交流電力に変換しモータに供給する双方向スイッチを含むインバータ制御装置であって、交流入力側に接続される所定の小容量のリアクタと、交流入力線間に設けられ、前記モータの回生エネルギを吸収するコンデンサとを備えたモータ駆動用のインバータ制御装置において、モータの速度指令値に基づき、前記モータの各相電圧指令値を作成するモータ電圧指令作成部と、前記インバータの入力電圧値を検出し、入力電圧検出値として出力する入力電圧検出部と、前記入力電圧検出部により検出されたインバータの入力電圧検出値を所定の基準値と比較し、その比較結果から入力電圧補正係数を導出する入力電圧補正部と、前記モータ電圧指令作成部から得られる各相電圧指令値と、前記入力電圧補正部の出力値である入力電圧補正係数とを乗算することにより各相電圧指令値の補正を行う第１のモータ電圧指令補正部と、前記入力電圧検出値に１以上の値を乗算した飽和電圧基準値を導出する飽和電圧演算手段と、前記第１のモータ電圧指令補正手段で補正された各相電圧指令値のいずれかが前記飽和電圧演算手段で演算された飽和電圧基準値より大きい場合のみ、前記第１のモータ電圧指令補正部で補正された各相電圧指令値に前記飽和電圧演算手段で演算された飽和電圧基準値を乗算し、その乗算結果を、前記第１のモータ電圧指令補正部で補正された各相電圧指令値のうちの最大値で除算することにより前記第１のモータ電圧指令補正部で補正された各相電圧指令値を再補正する第２のモータ電圧指令補正部とを備える。
【００２１】
上記の構成によって、小容量コンデンサと小容量リアクタが使用でき、さらに、双方向スイッチを用いることで整流回路が不要となるため、小型・軽量・低コストなモータ駆動用インバータ制御装置を実現できる。
【００２２】
また、インバータ入力電圧が大幅に変動してモータの駆動が困難あるいは不可能となる場合でも、モータに印加する電圧がほぼ一定となるようにインバータを動作させ、モータの駆動を維持することが可能であり、さらに交流電源電流の変動を抑制し、交流電源力率の改善と交流電源電流の高調波成分を抑制することが可能となる。さらにモータの出力トルクの向上を図ることが可能となる。
【００２３】
また、上記インバータ制御装置において、更に第２のモータ電圧指令補正部で補正された各相電圧指令値が入力電圧検出値より大きい場合、各相電圧指令値を入力電圧検出値とするモータ電圧指令最大値規制部を備える。
【００２４】
また、上記インバータ制御装置において、飽和電圧演算手段で得られる飽和電圧基準値は、モータの速度指令値に応じて可変としてもよい。この構成によって、交流電源力率の改善と交流電源電流の高調波成分抑制を確実に維持する駆動領域と、モータの出力トルクの大幅な向上を図る駆動領域との両立が可能となる。
【００２５】
また、上記インバータ制御装置において、入力電圧補正部は、入力電圧検出値がゼロより大きい場合には、入力電圧基準値を入力電圧検出値で除算することにより入力電圧補正係数を導出し、入力電圧検出値がゼロ以下の場合には入力電圧補正係数に予め設定された入力電圧補正係数の最大値を設定してもよい。この構成によって、インバータ入力電圧が大幅に変動しゼロ以下となるような場合にもモータの駆動を維持することが可能となる。
【００２６】
また、上記インバータ制御装置において、交流電源周波数の偶数倍の周波数を持つ共振周波数を中心としてその前後に所定の周波数幅を持たせた周波数範囲内にインバータ運転周波数が定常的に固定されるのを回避するように、前記インバータ運転周波数を設定するようにしてもよい。この構成によって、インバータ周波数と交流電源周波数との共振現象を回避することでモータの不安定動作を防止し、安定した駆動を実現することが可能となる。
【００２７】
また、上記インバータ制御装置において、小容量リアクタと小容量コンデンサとの共振周波数を交流電源周波数の４０倍よりも大きくなるように小容量リアクタおよび小容量コンデンサの組み合わせを決定してもよい。この構成によって、交流電源電流の高調波成分を抑制し、ＩＥＣ規格をクリアすることが可能である。
【００２８】
また、上記インバータ制御装置において、インバータが停止した際に上昇する入力電圧値の最大値がインバータの周辺回路に含まれる電気素子の耐圧よりも小さくなるように小容量コンデンサの容量を決定してもよい。これによって、インバータ入力電圧の最大値を各駆動素子の耐圧よりも小さくなるように小容量コンデンサの容量を決定することで周辺回路の破壊を防止することが可能となる。
【００２９】
また、上記インバータ制御装置において、予め設定された交流電源力率値を満足するようにインバータのキャリア周波数を決定してもよい。これによって、予め設定された交流電源力率値を満足することが可能となり、必要最小限のキャリア周波数を設定することにより、インバータ損失を必要最小限に抑制することが可能となる。
【００３０】
以下、本発明の実施の形態について図面を参照しながら説明する。なお、この実施の形態によって本発明が限定されるものではない。
【００３１】
（実施の形態１）
本発明の第１の実施の形態を示すインダクションモータ駆動用インバータ制御装置のシ
ステム構成図を図１に示す。図１において、インバータ制御装置の主回路は交流電源１と、２ｍＨ以下の小容量リアクタ１１と、１００μＦ以下の小容量コンデンサ１２と、交流電力を可変電圧、可変周波数の交流電力に変換する双方向スイッチを含んだインバータ３と、インバータ３により変換された交流電力により駆動するインダクションモータ４から構成されている。
【００３２】
一方、インバータ制御装置の制御回路は、Ｖ／Ｆ制御パターン部１３と、モータ電圧指令作成部１４と、入力電圧検出部１５と、入力電圧補正部１６と、モータ電圧指令補正部１７と、ＰＷＭ制御部１８と、第２のモータ電圧指令補正部１９とを含む。
【００３３】
Ｖ／Ｆ制御パターン部１３は、インダクションモータ４の速度指令ω＊に基づいてインダクションモータ４に印加するモータ電圧値を決定する。モータ電圧指令作成部１４は、Ｖ／Ｆ制御パターン部１３から決定されるモータ電圧値に基づいてインダクションモータ４の各相電圧指令値を作成する。入力電圧検出部１５は、インバータ３の入力電圧値を検出する。入力電圧補正部１６は、予め設定されたインバータ３の入力電圧基準値と入力電圧検出部１５から得られるインバータ３の入力電圧検出値との比較から入力電圧補正係数を導出する。第１のモータ電圧指令補正部１７は、モータ電圧指令作成部１４から得られる各相電圧指令値と入力電圧補正部１６の出力値である入力電圧補正係数とを乗算することにより各相電圧指令値の電圧補正を行ないインダクションモータ４の第１モータ電圧指令補正値を作成する。第２のモータ電圧指令補正部１９は、第１のモータ電圧指令補正部１７から作成された第１モータ電圧指令補正値のいずれかがインバータ３の入力電圧値より大きい場合のみ、第１モータ電圧指令補正値にインバータ３の入力電圧値を乗算し、その乗算した結果を、第１モータ電圧指令補正値のうちの最大値で除算することによりインダクションモータ４の第２モータ電圧指令補正値を作成する。ＰＷＭ制御部１８は、第２のモータ電圧指令補正部１９から作成された第２モータ電圧指令補正値に基づいてインバータ３のＰＷＭ信号を生成する。
【００３４】
なお、Ｖ／Ｆ制御パターン部１３については、上述の従来の技術にて説明しているのでここでは説明を省略する（図１６のＶ／Ｆ制御方式のインダクションモータ駆動用インバータ制御装置）。
【００３５】
以下、本実施の形態のインバータ制御装置の具体的な動作について説明する。
【００３６】
モータ電圧指令作成部１４では数（１）で表される演算により各相電圧指令値ｖｕ＊、ｖｖ＊、ｖｗ＊を作成する。
【００３７】
【数１】
2010051143.tif 000003
【００３８】
ここで、ＶｍはＶ／Ｆ制御パターン部１３から決定されるモータ電圧値であり、θ１は数（２）で表されるように速度指令ω＊を時間積分することで導出する。
【００３９】
【数２】
2010051143.tif 000004
【００４０】
また、図２は入力電圧補正部１６の第１の実施例を示した図で、入力電圧補正部１６で
は予め設定されたインバータ３の入力電圧基準値Ｖｐｎ０と入力電圧検出部１５から得られるインバータ３の入力電圧検出値ｖｐｎを用いて数（３）のように入力電圧補正係数ｋｐｎを導出する。
【００４１】
【数３】
2010051143.tif 000005
【００４２】
ここで、本発明では小容量コンデンサを用いているため、入力電圧検出値ｖｐｎがゼロとなる場合が生じるので、ゼロ割防止のための微小項δ０を設定しておく必要がある。
【００４３】
なお、数（３）の微小項δ０の代わりに、入力電圧検出値ｖｐｎがゼロ以下の場合において入力電圧補正係数ｋｐｎに予め設定された入力電圧補正係数の最大値を設定することでゼロ割防止を図ることができる。
【００４４】
即ち、数（４）のように入力電圧補正係数ｋｐｎを導出しても良い。
【００４５】
【数４】
2010051143.tif 000006
【００４６】
ここで、ｋｐｎ＿ｍａｘは予め設定された入力電圧補正係数の最大値である。
【００４７】
また、第１のモータ電圧指令補正部１７では各相電圧指令値ｖｕ＊、ｖｖ＊、ｖｗ＊と入力電圧補正係数ｋｐｎを用いて数（５）のように第１モータ電圧指令補正値ｖｕｈ１＊、ｖｖｈ１＊、ｖｗｈ１＊を導出する。
【００４８】
【数５】
2010051143.tif 000007
【００４９】
さらに、第２のモータ電圧指令補正部１９では第１モータ電圧指令補正値ｖｕｈ１＊、ｖｖｈ１＊、ｖｗｈ１＊のうち例えばｖｕｈ１＊が最大であり、かつ、ｖｕｈ１＊がインバータ３の入力電圧検出値ｖｐｎを上回った場合のみ数（６）のように第２モータ電圧指令補正値ｖｕｈ２＊、ｖｖｈ２＊、ｖｗｈ２＊を導出する。
【００５０】
【数６】
2010051143.tif 000008
【００５１】
図３（ａ），（ｂ）は、第１のモータ電圧指令補正部１７で導出された第１モータ電圧指令補正値ｖｕｈ１＊、ｖｖｈ１＊、ｖｗｈ１＊が最終的に第２モータ電圧指令補正値ｖｕｈ２＊、ｖｖｈ２＊、ｖｗｈ２＊に補正される結果の一例を示したものである。
【００５２】
図３（ａ）のように第１モータ電圧指令補正値ｖｕｈ１＊、ｖｖｈ１＊、ｖｗｈ１＊の全てが入力電圧検出値ｖｐｎの２４０Ｖを超えていない場合は、第２モータ電圧指令補正値ｖｕｈ２＊、ｖｖｈ２＊、ｖｗｈ２＊は第１モータ電圧指令補正値ｖｕｈ１＊、ｖｖｈ１＊、ｖｗｈ１＊と同じ値となる。
【００５３】
また、図３（ｂ）のように第１モータ電圧指令補正値ｖｕｈ１＊、ｖｖｈ１＊、ｖｗｈ１＊のうち、ｖｕｈ１＊が入力電圧検出値ｖｐｎの２４０Ｖを超えている場合は数（６）に従い、第２モータ電圧指令補正値ｖｕｈ２＊、ｖｖｈ２＊、ｖｗｈ２＊はそれぞれ、２４０Ｖ，１４４Ｖ，０Ｖとなる。
【００５４】
図４は第２のモータ電圧指令補正部１９での補正制御がない場合のインバータ入力電圧と交流電源電流の波形であり、図５は第２のモータ電圧指令補正部１９での補正制御がある場合のインバータ入力電圧と交流電源電流の波形である。図５に示すように、この第２のモータ電圧指令補正部１９による補正により、インバータ入力電圧が大幅に落ち込んだ直後にインダクションモータに印加する電圧を過度に与えることなく、交流電源電流の変動を抑制し、交流電源力率の改善と、交流電源電流の高調波成分の抑制を実現している。
【００５５】
以上のように、本実施の形態のインバータ制御装置は、入力電圧補正係数を用いて各相電圧指令値の補正を行うため、入力電圧の変動があってもほぼ一定のモータ電圧が印加されるようになり、大容量のコンデンサが不要となり、小容量のコンデンサの使用が可能となる。そして、小容量のコンデンサを使用することにより、入力電流は常にモータへ供給されることになり、入力電流の力率が向上するため、リアクタの小型化が実現できる。そして、小容量リアクタおよび小容量コンデンサの使用に併せて、インバータに双方向スイッチを用いることで整流回路が不要となり、小型・軽量・低コストなインダクションモータ駆動用インバータ制御装置を実現でき、インバータ入力電圧が大幅に変動してインダクションモータの駆動が困難あるいは不可能となる場合でも、インダクションモータに印加する電圧がほぼ一定となるようにインバータを動作させ、インダクションモータの駆動を維持することが可能となる。
【００５６】
なお、本発明は上述の実施例のようにＶ／Ｆ制御によるインダクションモータ駆動用インバータ制御装置に限定されるものではなく、周知のベクトル制御によるインダクションモータ駆動用インバータ制御装置においても本発明は適用可能である。
【００５７】
なお、空気調和機における圧縮機駆動モータなどのようにパルスジェネレータ等の速度センサを使用することができない場合や、サーボドライブなどのように速度センサを具備することができる場合のどちらにおいても本発明は適用可能である。
【００５８】
（実施の形態２）
図６に、本発明の第２の実施の形態を示すインダクションモータ駆動用インバータ制御装置のシステム構成図を示す。図６において主回路は実施の形態１と同様である。
【００５９】
一方、制御回路は、実施の形態１で示す構成要素に加えて、さらに、飽和電圧演算部２０とモータ電圧指令最大値規制部２１を備える。
【００６０】
Ｖ／Ｆ制御パターン部１３と、モータ電圧作成部１４と、入力電圧検出部１５と、入力電圧補正部１６と、第１のモータ電圧指令補正部１７の機能は実施の形態１のものと同様である。
【００６１】
飽和電圧演算部２０は、インバータの入力電圧値に１以上の値を乗算した飽和電圧基準値を導出する。第２のモータ電圧指令補正部１９は、第１のモータ電圧指令補正部１７から作成された第１モータ電圧指令補正値のいずれかが飽和電圧演算部２０で演算された飽和電圧基準値より大きい場合のみ、第１モータ電圧指令補正値に飽和電圧演算部２０で演算された飽和電圧基準値を乗算し、その乗算結果を、第１モータ電圧指令補正値のうちの最大値で除算することによりインダクションモータ４の第２モータ電圧指令補正値を作成する。
【００６２】
モータ電圧指令最大値規制部２１は、第２のモータ電圧指令補正部１９で補正された第２モータ電圧指令補正値がインバータの入力電圧値より大きい場合、第２モータ電圧指令補正値をインバータの入力電圧値とする第３モータ電圧指令補正値を導出する。ＰＷＭ制御部１８は、モータ電圧指令最大値規制部２１から出力される第３モータ電圧指令補正値に基づいてインバータ３のＰＷＭ信号を生成する。
【００６３】
以下では、実施の形態１と異なる動作について説明する。
【００６４】
飽和電圧演算部２０では数（７）のように飽和電圧基準値Ｖｐｎ１を導出する。
【００６５】
【数７】
2010051143.tif 000009
【００６６】
この数（７）のＫは電圧飽和率を表わし、概ね１〜１．５の値である。
【００６７】
また、第２のモータ電圧指令補正部１９は、第１モータ電圧指令補正値ｖｕｈ１＊、ｖｖｈ１＊、ｖｗｈ１＊のうちの例えばｖｕｈ１＊が最大であり、かつ、ｖｕｈ１＊が飽和電圧演算部２０で得られた飽和電圧基準値Ｖｐｎ１を上回った場合のみ数（８）のように第２モータ電圧指令補正値ｖｕｈ２＊、ｖｖｈ２＊、ｖｗｈ２＊を導出する。
【００６８】
【数８】
2010051143.tif 000010
【００６９】
さらにモータ電圧指令最大値規制部２１においては、第２モータ電圧指令補正値ｖｕｈ２＊、ｖｖｈ２＊、ｖｗｈ２＊が入力電圧検出値ｖｐｎより大きい場合、入力電圧検出値ｖｐｎにてＭＡＸ規制をかけた第３モータ電圧指令補正値ｖｕｈ３＊、ｖｖｈ３＊、ｖｗ
ｈ３＊が導出される。
【００７０】
図７（ａ），（ｂ）は飽和電圧演算部２０で用いられる電圧飽和率Ｋの値を１．２とし、第１のモータ電圧指令補正部１７導出された第１モータ電圧指令補正値ｖｕｈ１＊、ｖｖｈ１＊、ｖｗｈ１＊が最終的に第３モータ電圧指令補正値ｖｕｈ３＊、ｖｖｈ３＊、ｖｗｈ３＊に補正される結果の一例を示したものである。
【００７１】
図７（ａ）のように第１モータ電圧指令補正値ｖｕｈ１＊、ｖｖｈ１＊、ｖｗｈ１＊全てが入力電圧検出値ｖｐｎの２４０Ｖを超えていない場合は、第３モータ電圧指令補正値ｖｕｈ３＊、ｖｖｈ３＊、ｖｗｈ３＊は第１モータ電圧指令補正値ｖｕｈ１＊、ｖｖｈ１＊、ｖｗｈ１＊と同値となる。
【００７２】
また、図７（ｂ）のように第１モータ電圧指令補正値ｖｕｈ１＊、ｖｖｈ１＊、ｖｗｈ１＊のうち、ｖｕｈ１＊が入力電圧検出値ｖｐｎの２４０Ｖを超えている場合は数（７）と数（８）に従い、第２モータ電圧指令補正値ｖｕｈ２＊、ｖｖｈ２＊、ｖｗｈ２＊はそれぞれ、２８８Ｖ，１７２．８Ｖ，０Ｖとなり、最終的に第３モータ電圧指令補正値ｖｕｈ３＊、ｖｖｈ３＊、ｖｗｈ３＊はそれぞれ、２４０Ｖ，１７２．８Ｖ，０Ｖとなる。
【００７３】
ここで、実施の形態１で説明した具体例のうち図３（ｂ）と図７（ｂ）を比較すると、実施の形態２で最終的にＶ相に指令されるモータ電圧値が１４４Ｖから１７２．８Ｖに増加していることが分かる。
【００７４】
このモータ電圧値の増加は、インダクションモータの出力トルクの向上につながり、所望の交流電源力率や交流電源電流の高調波成分が規制値に対して余裕がある場合、上述の実施例がインダクションモータの限界負荷耐量を上げるのに非常に有効な手段になる。
【００７５】
（実施の形態３）
本実施の形態では、飽和電圧基準値Ｖｐｎ１の導出において、電圧飽和率を外部からの速度指令に応じて変化させる。
【００７６】
図８は、実施の形態２のインバータ制御装置において飽和電圧演算部２０で飽和電圧基準値Ｖｐｎ１を導出する際に、数（７）の電圧飽和率Ｋを外部から与えられたインダクションモータ４の速度指令ω＊に応じてステップ状に変化させた一例を示したものである。
【００７７】
図８のように電圧飽和率Ｋをステップ状に変化させると、速度指令ω＊が１００Ｈｚ未満の時、飽和電圧基準値Ｖｐｎ１は入力電圧検出値ｖｐｎと同値となり実施の形態１で説明した制御となる。
【００７８】
また、速度指令ω＊が１００Ｈｚ以上の時、飽和電圧基準値Ｖｐｎ１は入力電圧検出値ｖｐｎの１．２倍となり実施の形態２で説明した制御となる。
【００７９】
すなわち、速度指令ω＊が１００Ｈｚ未満の時は交流電源力率の改善と交流電源電流の高調波成分抑制を確実に維持し、速度指令ω＊が１００Ｈｚ以上の時はインダクションモータ４の出力トルクを充分に確保できることになる。
【００８０】
本実施の形態によれば、インダクションモータの定常駆動領域では交流電源力率の改善と交流電源電流の高調波成分抑制を実現でき、モータがトルクを必要とする高速駆動領域では限界負荷耐量を上げるといった、フレキシブルな制御が可能となる。
【００８１】
なお、図９のように電圧飽和率Ｋを速度指令ω＊に応じてなだらかに連続的に変化させ
ると急峻な出力トルクの変化を防ぎ、より安定した駆動を実現できる。
【００８２】
（実施の形態４）
本発明に係るインバータ運転周波数の設定に関する具体的な方法について以下に説明する。
【００８３】
本発明のインダクションモータ駆動用インバータ制御装置では小容量コンデンサを用いているため、図１０のようにインバータ入力電圧は交流電源周波数ｆＳの２倍の周波数で大きく脈動する。
【００８４】
そのため、インバータ運転周波数ｆ１が交流電源周波数ｆＳの偶数倍となる周波数では、インバータ入力電圧が脈動する周波数（交流電源周波数ｆＳの２倍の周波数）と同期し共振現象が生じてしまう。
【００８５】
図１１はインバータ運転周波数ｆ１が交流電源周波数ｆＳの２倍となる場合の動作結果を示した図である。インバータ入力電圧が脈動する周波数と同期して共振現象が生じ、モータ電流においては負の入力成分が重畳されていることがわかる。そのため、インダクションモータにはブレーキトルクが発生し、出力トルクの減少やモータ損失が増加するといった悪影響が生じてしまう。
【００８６】
なお、図１１の場合の諸元は、小容量リアクタのインダクタンス値が０．５ｍＨ、小容量コンデンサの容量が１０μＦ、交流電源が２２０Ｖ（５０Ｈｚ）、インバータ運転周波数が１００Ｈｚ（ここではモータの極数は２極のため、インバータ運転周波数とモータ速度指令値は等しい）、インバータキャリア周波数が５ｋＨｚである。また、図１０および図１１におけるマイナス方向のリアクタ電流は、反転表示したものである。
【００８７】
そこで、本実施の形態では、インバータ運転周波数ｆ１の設定において、インバータ運転周波数ｆ１が数（９）で与えられる周波数（周波数範囲）に定常的に固定されることを回避するように、インバータ運転周波数ｆ１を設定する。
【００８８】
【数９】
2010051143.tif 000011
【００８９】
ここで、ｎは整数、△ｆは予め設定された周波数幅であり、周波数幅△ｆに関しては基本的には上述の共振現象の影響が少なくなるように設定しておく。
【００９０】
また、インバータ運転周波数ｆ１が数（９）で求められる共振周波数を越える場合には、加速あるいは減速といった過渡状態で一気にインバータ運転周波数ｆ１を変更させ、共振周波数に固定されることを回避する。
【００９１】
なお、周波数幅△ｆは必ずしも設定する必要はなく、運転状況（軽負荷時など）によっては設定しなくとも良い（この場合は△ｆ＝０とすれば良い）。
【００９２】
以上のようにインバータ周波数と交流電源周波数との共振現象を回避することでインダクションモータの不安定動作を防止し、安定した駆動を実現することが可能となる。
【００９３】
（実施の形態５）
本発明に係るインバータ制御装置において用いられる小容量コンデンサ１２および小容量リアクタ１１の仕様決定に関する具体的な方法について以下に説明する。
【００９４】
本発明のインバータ制御装置では、交流電源電流の高調波成分を抑制してＩＥＣ規格をクリアするために、小容量コンデンサと小容量リアクタとにより定まる共振周波数ｆＬＣ（ＬＣ共振周波数）が交流電源周波数ｆＳの４０倍よりも大きくなるように、小容量コンデンサ１２と小容量リアクタ１１の組み合わせを決定する。
【００９５】
ここで、小容量コンデンサ１２の容量をＣ［Ｆ］、小容量リアクタ１１のインダクタンス値をＬ［Ｈ］とすると、ＬＣ共振周波数ｆＬＣは数（１０）のように表される。
【００９６】
【数１０】
2010051143.tif 000012
【００９７】
即ち、ｆＬＣ＞４０ｆＳを満たすように小容量コンデンサ１２と小容量リアクタ１１の組み合わせを決定する。これは、ＩＥＣ規格では交流電源電流の高調波成分において第４０次高調波まで規定されているからである。
【００９８】
以上の方法で小容量コンデンサ１２および小容量リアクタ１１の組み合わせを決定することで、交流電源電流の高調波成分を抑制して、ＩＥＣ規格をクリアすることが可能となる。
【００９９】
次に、小容量コンデンサ１２の容量の決定について以下に説明する。
【０１００】
インバータ３が停止した際には、小容量コンデンサ１２がインダクションモータ４の回生エネルギ（停止直前までインダクションモータのインダクタンス成分に蓄えられていた磁気エネルギ）を吸収してインバータ３の入力電圧値が上昇する。このため、そのときの入力電圧の最大値が、インバータ３の周辺回路の構成素子の耐圧よりも小さくなるように小容量コンデンサ１２の容量を決定する。これにより、周辺回路の破壊を防止することが可能となる。
【０１０１】
なお、小容量リアクタ１１のインダクタンス値は、小容量コンデンサ１２の値が決まれば、上述の方法で自動的に決定することができる。
【０１０２】
（実施の形態６）
本発明に係るインバータ３のキャリア周波数の設定に関する具体的な方法について以下に説明する。
【０１０３】
本発明のインバータ制御装置では、小容量コンデンサ１２に蓄えられる電気エネルギが小さい。電気エネルギが不足するような場合でもインダクションモータ４の駆動を維持するためには、小容量リアクタ１１の磁気エネルギを併用するしかなく、このため、リアクタ電流波形（ダイオードブリッジを通った後の電流で、概ね交流電源電流の絶対値をとった電流と等しい）はインバータ３のキャリア周波数（チョッピング）の影響を大きく受けてしまう。
【０１０４】
そのため、本発明のインバータ制御装置では、予め設定された交流電源力率値を満足するようにインバータ３のキャリア周波数を設定する。
【０１０５】
ここで、種々の条件下で本発明のインバータ制御装置を動作させた場合の結果を図１２〜図１４に示す。図１２はキャリア周波数が３．３ｋＨｚの場合、図１３は５ｋＨｚの場
合、図１４は７．５ｋＨｚの場合の動作結果である。リアクタ電流波形を比較すれば、リアクタ電流（もしくは交流電源電流）はキャリア周波数による依存性が大きいことがわかる。なお、図１２〜図１４におけるマイナス方向のリアクタ電流は、反転表示したものである。
【０１０６】
また、それぞれの交流電源力率値をディジタルパワーメータにて測定したところ、図１２のキャリア周波数が３．３ｋＨｚの時には０．８７８、図１３の５ｋＨｚの時には０．９５６、図１４の７．５ｋＨｚの時には０．９６２となった。
【０１０７】
なお、このときの諸元は、小容量リアクタ１１のインダクタンス値が０．５ｍＨ、小容量コンデンサ１２の容量が１０μＦ、交流電源１が２２０Ｖ（５０Ｈｚ）、インバータ運転周波数が５７Ｈｚ（ここではモータ４の極数は２極のため、インバータ運転周波数とモータ速度指令値は等しい）、交流電源１における入力電力が９００Ｗである。
【０１０８】
ここで、例えば予め設定した交流電源力率値が０．９である場合には、キャリア周波数を３．３ｋＨｚ〜５ｋＨｚの間に設定すれば良いことになり、最終的には予め設定した交流電源力率値（この場合は０．９）を満足しつつ、最もキャリア周波数が低くなるように決定する。
【０１０９】
以上により、予め設定された交流電源力率値を満足することが可能となり、必要最小限のキャリア周波数を設定することにより、インバータ損失を必要最小限に抑制することが可能となる。
【０１１０】
（実施の形態７）
図１５に、上記のインバータ制御装置を利用した空気調和機の構成例を示す。同図に示すように、空気調和機は、上記のインバータ制御装置１００を用いており、さらに、電動圧縮機８２に加えて、室内ユニット９２、室外ユニット９５及び四方弁９１からなる冷凍サイクルを備えている。室内ユニット９２は室内送風機９３と室内熱交換器９４とから構成され、また室外ユニット９５は室外熱交換器９６、室外送風機９７及び膨張弁９８より構成される。
【０１１１】
電動圧縮機８２はインダクションモータ４により駆動され、インダクションモータ４はインバータ制御装置１００により駆動される。冷凍サイクル中は熱媒体である冷媒が循環する。冷媒は電動圧縮機８２により圧縮され、室外熱交換器９６にて室外送風機９７からの送風により室外の空気と熱交換され、また室内熱交換器９４にて室内送風機９３からの送風により室内の空気と熱交換される。
【０１１２】
なお、前述の実施の形態ではインダクションモータについて説明を行なったが、本発明はその他のモータについても適用可能なものであることは言うまでもない。
【産業上の利用可能性】
【０１１３】
本発明は、小型・軽量・低コストのモータ駆動用インバータ制御装置を提供し、空気調和機等に使用されるモータの制御装置として有用である。
【図面の簡単な説明】
【０１１４】
【図１】本発明の実施の形態１を示すインダクションモータ駆動用インバータ制御装置のシステム構成図
【図２】本発明の実施の形態１における入力電圧補正係数の特性図
【図３】（ａ）本発明の実施の形態１におけるモータ電圧指令補正値の結果を示す図（ｂ）本発明の実施の形態１におけるモータ電圧指令補正値の結果を示す図
【図４】本発明の実施の形態１におけるインダクションモータ駆動用インバータ制御装置の第１の動作結果を示す図
【図５】本発明の実施の形態１におけるインダクションモータ駆動用インバータ制御装置の第２の動作結果を示す図
【図６】本発明の実施の形態２を示すインダクションモータ駆動用インバータ制御装置のシステム構成図
【図７】（ａ）本発明の実施の形態２におけるモータ電圧指令補正値の結果を示す図（ｂ）本発明の実施の形態２におけるモータ電圧指令補正値の結果を示す図
【図８】本発明の実施の形態３における電圧飽和率の第１の特性図
【図９】本発明の実施の形態３における電圧飽和率の第２の特性を示す図
【図１０】本発明の実施の形態４におけるインダクションモータ駆動用インバータ制御装置の第１の動作結果を示す図
【図１１】本発明の実施の形態４におけるインダクションモータ駆動用インバータ制御装置の第２の動作結果を示す図
【図１２】本発明の実施の形態６におけるインダクションモータ駆動用インバータ制御装置の第１の動作結果を示す図
【図１３】本発明の実施の形態６におけるインダクションモータ駆動用インバータ制御装置の第２の動作結果を示す図
【図１４】本発明の実施の形態６におけるインダクションモータ駆動用インバータ制御装置の第３の動作結果を示す図
【図１５】本発明の実施の形態７における空気調和機の一実施の形態を示す構成のブロック図
【図１６】一般的なインダクションモータ駆動用インバータ制御装置のシステム構成図
【図１７】一般的なＶ／Ｆ制御パターンの一例を示す図
【図１８】図１６のインダクションモータ駆動用インバータ装置における交流電源電流の高調波成分と交流電源周波数に対する次数との関係を示した線図
【図１９】従来の直流電源装置図
【符号の説明】
【０１１５】
１  交流電源
２  整流回路
３  インバータ
４  インダクションモータ
１１  小容量リアクタ
１２  小容量コンデンサ
１３  Ｖ／Ｆ制御パターン
１４  モータ電圧指令作成部
１５  入力電圧検出部
１６  入力電圧補正部
１７  第１のモータ電圧指令補正部
１８  ＰＷＭ制御部
１９  第２のモータ電圧指令補正部
２０  飽和電圧演算部
２１  モータ電圧指令最大値規制部
【図１】
2010051143.tif 000013
【図２】
2010051143.tif 000014
【図３】
2010051143.tif 000015
【図４】
2010051143.tif 000016
【図５】
2010051143.tif 000017
【図６】
2010051143.tif 000018
【図７】
2010051143.tif 000019
【図８】
2010051143.tif 000020
【図９】
2010051143.tif 000021
【図１０】
2010051143.tif 000022
【図１１】
2010051143.tif 000023
【図１２】
2010051143.tif 000024
【図１３】
2010051143.tif 000025
【図１４】
2010051143.tif 000026
【図１５】
2010051143.tif 000027
【図１６】
2010051143.tif 000028
【図１７】
2010051143.tif 000029
【図１８】
2010051143.tif 000030
【図１９】
2010051143.tif 000031